(57)【要約】  複数の画面レイアウトから１つの画面レイアウトを選択する入力、複数のコンテンツ素材から、選択された１つの画面レイアウトに配置する少なくとも１つのコンテンツ素材を選択する入力、及び、選択された１つの画面レイアウトが有する複数の表示領域から、選択された少なくとも１つのコンテンツ素材を配置する表示領域を選択する入力を受け付ける操作部（１１１）と、前記１つの画面レイアウトにおいて、選択された少なくとも１つのコンテンツ素材のコンテンツ素材画像を、選択された表示領域に配置したコンテンツ画面画像の画像データであるコンテンツ画面画像データを生成するコンテンツ作成部（１２４）と、コンテンツ画面画像データに基づいて、コンテンツ画面画像を表示する表示部（１１２）とを備える。
2018211693.tif 000002
【特許請求の範囲】
【請求項１】
複数の表示領域を各々が有する複数の画面レイアウトを示す画面レイアウトデータ、複数のコンテンツ素材を示すコンテンツ素材データ及び前記複数のコンテンツ素材の各々の画像に各々が対応する複数のコンテンツ素材画像の画像データであるコンテンツ素材画像データを記憶する記憶部と、
前記複数の画面レイアウトから１つの画面レイアウトを選択する入力、前記複数のコンテンツ素材から前記１つの画面レイアウトに配置する少なくとも１つのコンテンツ素材を選択する入力、及び、前記１つの画面レイアウトが有する前記複数の表示領域から、前記少なくとも１つのコンテンツ素材を配置する表示領域を選択する入力を受け付ける操作部と、
前記複数のコンテンツ素材画像の中から、前記少なくとも１つのコンテンツ素材のコンテンツ素材画像を特定し、前記１つの画面レイアウトにおいて、前記特定されたコンテンツ素材画像を前記選択された表示領域に配置したコンテンツ画面画像の画像データであるコンテンツ画面画像データを生成するコンテンツ作成部と、
前記コンテンツ画面画像データに基づいて、前記コンテンツ画面画像を表示する表示部と、を備えること
を特徴とする情報表示装置。
【請求項２】
前記画面レイアウトデータは、前記複数の画面レイアウトの各々が有する前記複数の表示領域の内の特定の表示領域に、予め定められたコンテンツ素材が配置されることをさらに示しており、
前記コンテンツ素材データは、前記複数のコンテンツ素材の内の特定のコンテンツ素材が前記特定の表示領域に配置することをさらに示しており、
前記操作部は、前記特定のコンテンツ素材を除いた前記複数のコンテンツ素材から、前記１つの画面レイアウトに表示する前記少なくとも１つのコンテンツ素材を選択する入力、及び、前記特定の表示領域を除く前記複数の表示領域から、前記少なくとも１つのコンテンツ素材を配置する前記表示領域を選択する入力を受け付け、
前記コンテンツ作成部は、前記複数のコンテンツ素材画像の中から、前記特定のコンテンツ素材のコンテンツ素材画像を第１のコンテンツ素材画像として特定するとともに、前記複数のコンテンツ素材画像の中から、前記少なくとも１つのコンテンツ素材のコンテンツ素材画像を第２のコンテンツ素材画像として特定し、前記１つの画面レイアウトにおいて、前記第１のコンテンツ素材画像を前記特定の表示領域に配置し、前記第２のコンテンツ素材画像を前記選択された表示領域に配置すること
を特徴とする請求項１に記載の情報表示装置。
【請求項３】
前記画面レイアウトデータに基づいて、前記複数の画面レイアウトの各々を各々が示す複数の画面レイアウト画像を前記表示部に表示させる処理部をさらに備え、
前記操作部は、前記１つの画面レイアウトを選択する入力として、前記複数の画面レイアウト画像から１つの画面レイアウト画像を選択する入力を受け付けること
を特徴とする請求項１又は２に記載の情報表示装置。
【請求項４】
前記処理部は、前記コンテンツ素材画像データに基づいて、複数のコンテンツ素材画像を前記表示部に表示させ、
前記操作部は、前記少なくとも１つのコンテンツ素材を選択する入力として、前記複数のコンテンツ素材画像から、前記１つの画面レイアウトに配置するコンテンツ素材のコンテンツ素材画像を選択する入力を受け付けること
を特徴とする請求項３に記載の情報表示装置。
【請求項５】
サーバと通信する通信部と、
前記通信部を介して、前記サーバから前記画面レイアウトデータを取得して、前記画面レイアウトデータを前記記憶部に記憶させる画面レイアウト取得部と、
前記通信部を介して、前記サーバから前記コンテンツ素材データ及び前記コンテンツ素材画像データを取得して、前記コンテンツ素材データ及び前記コンテンツ素材画像データを前記記憶部に記憶させるコンテンツ素材取得部と、をさらに備えること
を特徴とする請求項１から４の何れか一項に記載の情報表示装置。
【請求項６】
前記記憶部は、前記複数のコンテンツ素材から選択されたコンテンツ素材である表示コンテンツ素材のコンテンツ素材画像を配置したコンテンツ画面画像を表示した店舗における、前記表示コンテンツ素材に対応する商品の売り上げを示す情報を含む商品データをさらに記憶し、
前記処理部は、前記商品データに基づいて、前記表示コンテンツ素材に対応する商品の売り上げを示す情報を前記表示部に表示させ、
前記操作部は、前記少なくとも１つのコンテンツ素材を選択する入力として、前記表示コンテンツ素材を選択する入力を受け付けること
を特徴とする請求項３に記載の情報表示装置。
【請求項７】
前記商品データは、前記店舗の立地を示す情報をさらに示し、
前記処理部は、前記商品データに基づいて、前記表示コンテンツ素材に対応する商品の売り上げを示す情報とともに、前記店舗の立地を示す情報を前記表示部に表示させること
を特徴とする請求項６に記載の情報表示装置。
【請求項８】
サーバと通信する通信部と、
前記通信部を介して、前記サーバから前記画面レイアウトデータを取得して、前記画面レイアウトデータを前記記憶部に記憶させる画面レイアウト取得部と、
前記通信部を介して、前記サーバから前記コンテンツ素材データ及び前記コンテンツ素材画像データを取得して、前記コンテンツ素材データ及び前記コンテンツ素材画像データを前記記憶部に記憶させるコンテンツ素材取得部と、
前記通信部を介して、前記サーバから前記商品データを取得して、前記商品データを前記記憶部に記憶させる商品データ取得部と、をさらに備えること
を特徴とする請求項６又は７に記載の情報表示装置。
【請求項９】
コンピュータを、
複数の表示領域を各々が有する複数の画面レイアウトを示す画面レイアウトデータ、複数のコンテンツ素材を示すコンテンツ素材データ及び前記複数のコンテンツ素材の各々の画像に各々が対応する複数のコンテンツ素材画像の画像データであるコンテンツ素材画像データを記憶する記憶部、
前記複数の画面レイアウトから１つの画面レイアウトを選択する入力、前記複数のコンテンツ素材から前記１つの画面レイアウトに配置する少なくとも１つのコンテンツ素材を選択する入力、及び、前記１つの画面レイアウトが有する前記複数の表示領域から、前記少なくとも１つのコンテンツ素材を配置する表示領域を選択する入力を受け付ける操作部、
前記複数のコンテンツ素材画像の中から、前記少なくとも１つのコンテンツ素材のコンテンツ素材画像を特定し、前記１つの画面レイアウトにおいて、前記特定されたコンテンツ素材画像を前記選択された表示領域に配置したコンテンツ画面画像の画像データであるコンテンツ画面画像データを生成するコンテンツ作成部、及び、
前記コンテンツ画面画像データに基づいて、前記コンテンツ画面画像を表示する表示部、として機能させること
を特徴とするプログラム。
【請求項１０】
複数の表示領域を各々が有する複数の画面レイアウトから１つの画面レイアウトを選択する入力を受け付け、
複数のコンテンツ素材から前記１つの画面レイアウトに配置する少なくとも１つのコンテンツ素材を選択する入力を受け付け、
前記１つの画面レイアウトが有する前記複数の表示領域から、前記少なくとも１つのコンテンツ素材を配置する表示領域を選択する入力を受け付け、
前記複数のコンテンツ素材の各々の画像に各々が対応する複数のコンテンツ素材画像の中から、前記少なくとも１つのコンテンツ素材のコンテンツ素材画像を特定し、
前記１つの画面レイアウトにおいて、前記特定されたコンテンツ素材画像を前記選択された表示領域に配置したコンテンツ画面画像を表示すること
を特徴とする情報表示方法。
【発明の詳細な説明】
【技術分野】
【０００１】
本発明は、情報表示装置、プログラム及び情報表示方法に関し、特に、コンテンツ画面画像を表示する情報表示装置、プログラム及び情報表示方法に関する。
【背景技術】
【０００２】
デジタルサイネージは、ディスプレイ等の情報表示装置を使用して、広告、販促又は案内等のコンテンツを利用者に提供するシステムであり、屋外、商業施設又は交通機関等で広く普及している。情報表示装置が設置された場所の人々の趣向に応じて、予めコンテンツを編成することにより、デジタルサイネージは、その場所に応じた効果的なコンテンツを提供することができる。【０００３】
特許文献１は、流通業における店頭でのデジタルサイネージとして、ＰＯＳ（Ｐｏｉｎｔ  Ｏｆ  Ｓａｌｅｓ）端末の売上状況の情報を利用して、情報表示装置に表示する販売促進用コンテンツを変更する技術を示している。【０００４】
特許文献１に記載された技術は、複数の商品の売上目標を予め設定し、各商品の売上状況の情報をＰＯＳ端末から収集し、売上目標と売上状況とに基づき、情報表示装置に表示するコンテンツを、売上目標が未達成である商品のコンテンツに自動的に変更する。【０００５】
また、特許文献２は、情報表示装置にコンテンツを配信するサーバにおいて、情報表示装置からコンテンツの広告効果の情報を収集し、広告効果の高いコンテンツを生成する技術を示している。【０００６】
特許文献２に記載された技術は、配信サーバが情報表示装置からコンテンツの広告効果の評価に使用する測定情報を受信し、配信サーバにおいてコンテンツの広告効果を評価し、コンテンツの画面テンプレート毎に広告効果の評価結果を蓄積し、コンテンツ生成の際に広告効果の高い画面テンプレートを使用する。
【先行技術文献】
【特許文献】
【０００７】
【特許文献１】特開２０１６−１１８９１６号公報
【特許文献２】特開２０１４−５２３９９号公報
【発明の概要】
【発明が解決しようとする課題】
【０００８】
流通業では、全ての店舗で共通に販売促進に注力したい商品と、店舗の客層、立地、天候又は在庫等の状況により、店舗毎に注力したい商品とが異なる場合がある。しかしながら、従来のデジタルサイネージは、情報表示装置にコンテンツを配信するサーバでコンテンツを生成し、配信する方法が取られているため、情報表示装置を設置する管理者、すなわち店舗の責任者が自らの意思に基づいて、独自にコンテンツを作成したり、情報表示装置に表示させるコンテンツとして他の店舗で作成されたコンテンツを選択したりして利用することが困難であった。【０００９】
特許文献１に記載された技術は、自らの店舗の商品の売上状況の情報に基づいて情報表示装置に表示するコンテンツを自動的に変更することはできるが、同じ商品を扱う他の店舗の中から売上が好調な店舗が利用するコンテンツと同じコンテンツを自らの店舗の情報表示装置に表示させることはできない。【００１０】
また、特許文献２に記載された技術は、サーバがコンテンツを生成する際に、広告効果の高いコンテンツの商品テンプレートを利用することはできるが、サーバで生成されるコンテンツの商品と、店舗の責任者が注力したい商品とが必ずしも一致するとは限らない。【００１１】
そこで、本発明は、サーバが配信するコンテンツを適切にカスタマイズできるようにすることを目的とする。
【課題を解決するための手段】
【００１２】
本発明の一態様に係る情報表示装置は、複数の表示領域を各々が有する複数の画面レイアウトを示す画面レイアウトデータ、複数のコンテンツ素材を示すコンテンツ素材データ及び前記複数のコンテンツ素材の各々の画像に各々が対応する複数のコンテンツ素材画像の画像データであるコンテンツ素材画像データを記憶する記憶部と、前記複数の画面レイアウトから１つの画面レイアウトを選択する入力、前記複数のコンテンツ素材から前記１つの画面レイアウトに配置する少なくとも１つのコンテンツ素材を選択する入力、及び、前記１つの画面レイアウトが有する前記複数の表示領域から、前記少なくとも１つのコンテンツ素材を配置する表示領域を選択する入力を受け付ける操作部と、前記複数のコンテンツ素材画像の中から、前記少なくとも１つのコンテンツ素材のコンテンツ素材画像を特定し、前記１つの画面レイアウトにおいて、前記特定されたコンテンツ素材画像を前記選択された表示領域に配置したコンテンツ画面画像の画像データであるコンテンツ画面画像データを生成するコンテンツ作成部と、前記コンテンツ画面画像データに基づいて、前記コンテンツ画面画像を表示する表示部と、を備えることを特徴とする。【００１３】
本発明の一態様に係るプログラムは、コンピュータを、複数の表示領域を各々が有する複数の画面レイアウトを示す画面レイアウトデータ、複数のコンテンツ素材を示すコンテンツ素材データ及び前記複数のコンテンツ素材の各々の画像に各々が対応する複数のコンテンツ素材画像の画像データであるコンテンツ素材画像データを記憶する記憶部、前記複数の画面レイアウトから１つの画面レイアウトを選択する入力、前記複数のコンテンツ素材から前記１つの画面レイアウトに配置する少なくとも１つのコンテンツ素材を選択する入力、及び、前記１つの画面レイアウトが有する前記複数の表示領域から、前記少なくとも１つのコンテンツ素材を配置する表示領域を選択する入力を受け付ける操作部、前記複数のコンテンツ素材画像の中から、前記少なくとも１つのコンテンツ素材のコンテンツ素材画像を特定し、前記１つの画面レイアウトにおいて、前記特定されたコンテンツ素材画像を前記選択された表示領域に配置したコンテンツ画面画像の画像データであるコンテンツ画面画像データを生成するコンテンツ作成部、及び、前記コンテンツ画面画像データに基づいて、前記コンテンツ画面画像を表示する表示部、として機能させることを特徴とする。【００１４】
本発明の一態様に係る情報表示方法は、複数の表示領域を各々が有する複数の画面レイアウトから１つの画面レイアウトを選択する入力を受け付け、複数のコンテンツ素材から前記１つの画面レイアウトに配置する少なくとも１つのコンテンツ素材を選択する入力を受け付け、前記１つの画面レイアウトが有する前記複数の表示領域から、前記少なくとも１つのコンテンツ素材を配置する表示領域を選択する入力を受け付け、前記複数のコンテンツ素材の各々の画像に各々が対応する複数のコンテンツ素材画像の中から、前記少なくとも１つのコンテンツ素材のコンテンツ素材画像を特定し、前記１つの画面レイアウトにおいて、前記特定されたコンテンツ素材画像を前記選択された表示領域に配置したコンテンツ画面画像を表示することを特徴とする。
【発明の効果】
【００１５】
本発明の一態様によれば、サーバが配信するコンテンツを適切にカスタマイズすることができる。
【図面の簡単な説明】
【００１６】
【図１】実施の形態１に係る情報表示システムであるデジタルサイネージシステム構成を概略的に示すブロック図である。
【図２】実施の形態１における情報表示装置の構成を概略的に示すブロック図である。
【図３】実施の形態１における画面レイアウトデータの一例を示す概略図である。
【図４】実施の形態１における画面レイアウトの第１例を示す概略図である。
【図５】実施の形態１における画面レイアウトの第２例を示す概略図である。
【図６】実施の形態１におけるコンテンツ素材データの一例を示す概略図である。
【図７】実施の形態１におけるコンテンツ素材データで示されるコンテンツ素材の属性をテーブル形成で表した表である。
【図８】実施の形態１における情報表示装置のハードウェア構成例を概略的に示すブロック図である。
【図９】実施の形態１におけるサーバの構成を概略的に示すブロック図である。
【図１０】実施の形態１におけるサーバのハードウェア構成例を概略的に示すブロック図である。
【図１１】実施の形態１における情報表示装置の動作を示すフローチャートである。
【図１２】実施の形態１におけるコンテンツ素材データと、選択されたコンテンツ素材及び位置との対応関係をテーブル形成で表した表である。
【図１３】実施の形態２に係る情報表示システムであるデジタルサイネージシステムの構成を概略的に示すブロック図である。
【図１４】実施の形態２における商品データの一例を示す概略図である。
【図１５】実施の形態２における情報表示装置の構成を概略的に示すブロック図である。
【図１６】実施の形態２におけるサーバの構成を概略的に示すブロック図である。
【図１７】実施の形態２における情報表示装置の動作を示すフローチャートである。
【発明を実施するための形態】
【００１７】
実施の形態１．
図１は、実施の形態１に係る情報表示システムであるデジタルサイネージシステム１００の構成を概略的に示すブロック図である。
デジタルサイネージシステム１００は、情報表示装置１１０Ａ、１１０Ｂ、１１０Ｃと、サーバ１３０とを備える。
情報表示装置１１０Ａ、１１０Ｂ、１１０Ｃの各々を特に区別する必要がない場合には、情報表示装置１１０という。
情報表示装置と、サーバ１３０とは、ネットワーク１０１に接続されている。
【００１８】
図２は、情報表示装置１１０の構成を概略的に示すブロック図である。
情報表示装置１１０は、操作部１１１と、表示部１１２と、記憶部１１３と、通信部１１４と、制御部１２０とを備える。
【００１９】
操作部１１１は、ユーザからの操作の入力を受け付ける。例えば、操作部１１１は、後述するように、複数の画面レイアウトから１つの画面レイアウトを選択する入力、選択された１つの画面レイアウトに配置する少なくとも１つのコンテンツ素材を複数のコンテンツ素材から選択する入力、及び、選択された１つの画面レイアウトが有する複数の表示領域から、選択された少なくとも１つのコンテンツ素材を配置する表示領域を選択する入力を受け付ける。
【００２０】
なお、操作部１１１は、後述するように、画面レイアウトデータが特定の表示領域を示し、コンテンツ素材データが特定のコンテンツ素材をその特定の表示領域に配置することを示している場合には、特定のコンテンツ素材を除いた複数のコンテンツ素材から、選択された１つの画面レイアウトに表示する少なくとも１つのコンテンツ素材を選択する入力、及び、特定の表示領域を除く複数の表示領域から、選択された少なくとも１つのコンテンツ素材を配置する表示領域を選択する入力を受け付ける。
【００２１】
表示部１１２は、各種画面画像を表示する。例えば、表示部１１２は、コンテンツ画面画像を表示する。
記憶部１１３は、情報表示装置１１０での処理に必要なデータを記憶する。
通信部１１４は、ネットワーク１０１を介して、サーバ１３０と通信を行う。
【００２２】
制御部１２０は、情報表示装置１１０での処理を制御する。
制御部１２０は、画面レイアウト取得部１２１と、コンテンツ素材取得部１２２と、コンテンツ作成部１２４と、ユーザ選択処理部１２３とを備える。
【００２３】
画面レイアウト取得部１２１は、通信部１１４を介して、サーバ１３０から、複数の画面レイアウトを示す画面レイアウトデータを取得する。複数の画面レイアウトの各々は、コンテンツ素材を配置する複数の表示領域を有する。そして、取得された画面レイアウトデータは、記憶部１１３に記憶される。
【００２４】
図３は、画面レイアウトデータの一例を示す概略図である。
図３に示されている画面レイアウトデータ１０２は、画面レイアウトをＸＭＬ形式で表現しており、１つの画面レイアウトをレイアウトタグ＜Ｌａｙｏｕｔ＞で表現している。図３に示されている画面レイアウトデータ１０２は、２つの画面レイアウト「Ｌａｙｏｕｔ＿００１」及び「Ｌａｙｏｕｔ＿００２」を示している。
【００２５】
各々の画面レイアウトを表現する＜Ｌａｙｏｕｔ＞タグには、６つの属性「ｉｄ」、「ｒｏｗｓ」、「ｃｏｌｓ」、「ｅｌｅｍ＿ｗｉｄｔｈ」、「ｅｌｅｍ＿ｈｅｉｇｈｔ」、「ｍａｒｇｉｎ＿ｘ」及び「ｍａｒｇｉｎ＿ｙ」が含まれている。
【００２６】
属性「ｉｄ」は、画面レイアウトの識別情報である画面レイアウトＩＤを示す。
属性「ｒｏｗｓ」は、画面レイアウトに配置することのできる要素（コンテンツ素材の表示領域）の行数を示す。言い換えると、属性「ｒｏｗｓ」は、画面レイアウトの縦方向に配置することのできる要素の最大数を示す。
属性「ｃｏｌｓ」は、画面レイアウトに配置することのできる要素の列数を示す。言い換えると、属性「ｃｏｌｓ」は、画面レイアウトの横方向に配置することのできる要素の最大数を示す。
属性「ｅｌｅｍ＿ｗｉｄｔｈ」は、画面レイアウトの１行の幅を示す。
属性「ｅｌｅｍ＿ｈｅｉｇｈｔ」は、画面レイアウトの１行の高さを示す。
属性「ｍａｒｇｉｎ＿ｘ」は、画面レイアウトの列間の幅を示す。
属性「ｍａｒｇｉｎ＿ｙ」は、画面レイアウトの行間の幅を示す。
【００２７】
例えば、図３では、最初の画面レイアウトの属性として、画面レイアウトＩＤが「Ｌａｙｏｕｔ＿００１」（ｉｄ＝“Ｌａｙｏｕｔ＿００１”）、要素の構成が３行×４列（ｒｏｗｓ＝“３”、ｃｏｌｓ＝“４”）、１列の幅が２００ピクセル（ｅｌｅｍ＿ｗｉｄｔｈ＝“２００”）、１行の高さが１５０ピクセル（ｅｌｅｍ＿ｈｅｉｇｈｔ＝“１５０”）、要素間の余白が縦横各１０ピクセル（ｍａｒｇｉｎ＿ｘ＝“１０”、ｍａｒｇｉｎ＿ｙ＝“１０”）であることを示している。
【００２８】
また、各々の画面レイアウトは、エレメントタグ＜Ｅｌｅｍｅｎｔ＞で表現される要素で構成される。
各々の要素を表現する＜Ｅｌｅｍｅｎｔ＞タグには、６つの属性「ｉｄ」、「ｒｏｗ」、「ｃｏｌ」、「ｓｉｚｅ＿ｘ」、「ｓｉｚｅ＿ｙ」及び「ｓｈｏｗ」が含まれている。
【００２９】
属性「ｉｄ」は、要素の識別情報である要素ＩＤを示す。
属性「ｒｏｗ」は、要素の上端の上下方向における位置を示す。ここでは、要素の上端が位置する行番号を示す。行番号は、画面レイアウトの上から、「１」から順番に自然数が割り当てられているものとする。
属性「ｃｏｌ」は、要素の上端の横方向における位置を示す。ここでは、要素の上端が位置する列番号を示す。行番号は、画面レイアウトの向かって左側から、「１」から順番に自然数が割り当てられているものとする。
属性「ｓｉｚｅ＿ｘ」は、要素の横方向における大きさを示す。ここでは、要素が占める列数を示す。
属性「ｓｉｚｅ＿ｙ」は、要素の縦方向における大きさを示す。ここでは、要素が占める行数を示す。
属性「ｓｈｏｗ」は、要素に配置された画像の表示が必須であるか任意であるかを示す。
【００３０】
例えば、図３では、画面レイアウト「Ｌａｙｏｕｔ＿００１」の最初の要素は、要素ＩＤがＥｌｅｍｅｎｔ＿００１（ｉｄ＝“Ｅｌｅｍｅｎｔ＿００１”）、要素の上端の位置が１行目（ｒｏｗ＝“１”）、左端の位置が１列目（ｃｏｌ＝“１”）、サイズが２行×２列（ｓｉｚｅ＿ｘ＝“２”、ｓｉｚｅ＿ｙ＝“２”）、表示属性が必須（ｓｈｏｗ＝“必須”）であることを示している。
【００３１】
図４は、図３に示されている画面レイアウトデータ１０２において、画面レイアウトＩＤ「Ｌａｙｏｕｔ＿００１」に対応する画面レイアウトを示す概略図である。
図５は、図３に示されている画面レイアウトデータ１０２において、画面レイアウトＩＤ「Ｌａｙｏｕｔ＿００２」に対応する画面レイアウトを示す概略図である。
【００３２】
図３〜図５に示されているように、画面レイアウトデータ１０２は、表示部１１２に表示するコンテンツ画面画像において、コンテンツ素材を配置することのできる複数の表示領域である要素を有する画面レイアウトを示すことができる。
また、画面レイアウトデータ１０２は、属性「ｓｈｏｗ」を「必須」とすることにより、特定の表示領域（要素）に、予め定められたコンテンツ素材が配置されることを示すことができる。
【００３３】
図２に戻り、コンテンツ素材取得部１２２は、サーバ１３０から、コンテンツを構成するコンテンツ素材を示すコンテンツ素材データ及びコンテンツ素材の画像であるサムネイル画像の画像データであるサムネイル画像データを取得する。取得されたコンテンツ素材データ及びサムネイル画像データは、記憶部１１３に記憶される。なお、サムネイル画像は、コンテンツ素材の画像であるため、コンテンツ素材画像ともいい、サムネイル画像データは、コンテンツ素材画像データともいう。
【００３４】
図６は、コンテンツ素材データの一例を示す概略図である。
図６に示されているコンテンツ素材データ１０３は、コンテンツ素材をＸＭＬ形式で表現しており、１つのコンテンツ素材をコンテンツタグ＜Ｃｏｎｔｅｎｔ＞で表現している。図６では、コンテンツリストタグ＜ＣｏｎｔｅｎｔＬｉｓｔ＞で示されるコンテンツ素材データ１０３に、１７個のコンテンツ素材が含まれている。
各々のコンテンツ素材を表現する＜Ｃｏｎｔｅｎｔ＞タグには、６つの属性「ｉｄ」、「ｉｔｅｍ」、「ｓｈｏｗ」、「ｄａｔｅ」、「ｔｈｕｍｂｎａｉｌ」及び「ｌａｙｏｕｔ」が含まれている。
【００３５】
属性「ｉｄ」は、コンテンツ素材の識別情報であるコンテンツ素材ＩＤを示す。
属性「ｉｔｅｍ」は、コンテンツ素材のサムネイル画像によって表される商品の識別情報である商品ＩＤを示す。
属性「ｓｈｏｗ」は、コンテンツ素材の表示が必須であるか任意であるかを示す。
属性「ｄａｔｅ」は、コンテンツ素材のサムネイル画像データが作成された日時を示す。
属性「ｔｈｕｍｂｎａｉｌ」は、コンテンツ素材のサムネイル画像データのファイル名を示す。
属性「ｌａｙｏｕｔ」は、コンテンツ素材のサムネイル画像の配置位置に対応する要素ＩＤを示す。なお、属性「ｌａｙｏｕｔ」が設定されていない場合には、コンテンツ素材のサムネイル画像の配置位置が任意であることを示す。
【００３６】
例えば、図６では、コンテンツ素材データ１０３「ＣｏｎｔｅｎｔＬｉｓｔ」の最初のコンテンツ素材は、コンテンツ素材ＩＤが００１００１（ｉｄ＝“００１００１”）、商品ＩＤが００１（ｉｔｅｍ＝“００１”）、表示属性が必須（ｓｈｏｗ＝“必須”）、日付が２０１６／１２／１５  １０：００（ｄａｔｅ＝“２０１６／１２／１５  １０：００”）、サムネイル画像のファイル名がｔｎ００１００１．ｐｎｇ（ｔｈｕｍｂｎａｉｌ＝“ｔｎ００１００１．ｐｎｇ＝”）、配置位置の要素ＩＤがＥｌｅｍｅｎｔ＿００１（ｌａｙｏｕｔ＝“Ｅｌｅｍｅｎｔ＿００１”）であることを示している。
【００３７】
以上のように、コンテンツ素材データ１０３により、複数のコンテンツ素材が示される。
また、コンテンツ素材データ１０３は、属性「ｌａｙｏｕｔ」により、特定のコンテンツ素材が、画面レイアウトの特定の表示領域に配置されることを示すことができる。
【００３８】
なお、図７は、図６に示されているコンテンツ素材データ１０３で示されるコンテンツ素材の属性をテーブル形成で表した表である。
【００３９】
図２に戻り、ユーザ選択処理部１２３は、操作部１１１及び表示部１１２を介して、表示するコンテンツ素材及びコンテンツ素材を配置する画面レイアウトの選択を受け付ける処理を制御する処理部である。
【００４０】
コンテンツ作成部１２４は、画面レイアウト取得部１２１が取得した画面レイアウトデータ、コンテンツ素材取得部１２２が取得したコンテンツ素材データ、及び、ユーザ選択処理部１２３が受け付けたユーザの選択に基づいて、コンテンツ画面画像の画像データであるコンテンツ画面画像データを生成する。
例えば、コンテンツ作成部１２４は、画面レイアウトデータが特定の表示領域を示し、コンテンツ素材データが特定のコンテンツ素材を特定の表示領域に配置することを示している場合には、選択された１つの画面レイアウトにおいて、特定のコンテンツ素材のサムネイル画像（第１のコンテンツ素材画像；第１のサムネイル画像）を特定し、そのサムネイル画像を特定の表示領域に配置する。
なお、コンテンツ作成部１２４は、選択された１つの画面レイアウトにおいて、選択された少なくとも１つのコンテンツ素材のサムネイル画像（第２のコンテンツ素材画像；第２のサムネイル画像）を特定し、そのサムネイル画像を選択された表示領域に配置したコンテンツ画面画像のコンテンツ画面画像データを生成する。
【００４１】
図８は、情報表示装置１１０のハードウェア構成例を概略的に示すブロック図である。
情報表示装置１１０は、プロセッサ１６０と、フラッシュメモリ１６１と、ＤＲＡＭ（Ｄｙｎａｍｉｃ  Ｒａｎｄｏｍ  Ａｃｃｅｓｓ  Ｍｅｍｏｒｙ）１６２と、記憶媒体１６３と、入力装置１６４と、通信インタフェース（以下、通信Ｉ／Ｆという）１６５と、表示装置インタフェース（以下、表示装置Ｉ／Ｆという）１６６と、表示装置１６７とを備えるコンピュータにより実現することができる。
【００４２】
プロセッサ１６０は、ＯＳ（Ｏｐｅｒａｔｉｎｇ  Ｓｙｓｔｅｍ）、各種アプリケーション及びファームウェア等のプログラムを実行する装置であり、必要に応じてＤＲＡＭ１６２等にアクセスし、情報表示装置１１０の各ブロックの制御を行う。例えば、制御部１２０は、プロセッサ１６０が予め定められたプログラムを実行することにより実現される。このようなプログラムは、ネットワークを通じて提供されてもよく、また、記録媒体に記録されて提供されてもよい。即ち、このようなプログラムは、例えば、プログラムプロダクトとして提供されてもよい。
【００４３】
フラッシュメモリ１６１は、プロセッサ１６０で実行されるＯＳ、アプリケーション及びファームウェア等のプログラムを記録する不揮発性メモリである。
ＤＲＡＭ１６２は、プロセッサ１６０がプログラム等を実行する際に、ＯＳ、アプリケーション及びデータ等を一時的に記憶する揮発性メモリである。
記憶媒体１６３は、例えば、ＨＤＤ（Ｈａｒｄ  Ｄｉｓｋ  Ｄｒｉｖｅ）で構成され、画面レイアウトデータ及びコンテンツ素材データ等を記録する不揮発性メモリである。
例えば、記憶部１１３は、フラッシュメモリ１６１、ＤＲＡＭ１６２及び記憶媒体１６３により実現される。
【００４４】
入力装置１６４は、ユーザが指示等を入力するキー又はボタン等である。
例えば、操作部１１１は、入力装置１６４により実現される。
【００４５】
通信Ｉ／Ｆ１６５は、例えば、ネットワークインタフェースカード等で構成され、ネットワーク１０１を経由して、サーバ１３０との間の通信処理を実行する。
例えば、通信部１１４は、通信Ｉ／Ｆ１６５により実現される。
【００４６】
表示装置Ｉ／Ｆ１６６は、入力された映像信号及びＧＵＩ（Ｇｒａｐｈｉｃａｌ  Ｕｓｅｒ  Ｉｎｔｅｒｆａｃｅ）画面画像等の合成処理を行い、表示装置１６７に出力する。
表示装置１６７は、各種画面画像を表示する。
例えば、表示部１１２は、表示装置Ｉ／Ｆ１６６及び表示装置１６７により実現される。
【００４７】
図９は、実施の形態１におけるサーバ１３０の構成を概略的に示すブロック図である。
サーバ１３０は、記憶部１３１と、通信部１３２と、制御部１４０とを備える。
【００４８】
記憶部１３１は、サーバ１３０での処理に必要なデータを記憶する。
通信部１３２は、ネットワーク１０１を介して、情報表示装置１１０と通信を行う。
【００４９】
制御部１４０は、サーバ１３０での処理を制御する。
制御部１４０は、画面レイアウト配信部１４１と、コンテンツ素材配信部１４２とを備える。
【００５０】
画面レイアウト配信部１４１は、情報表示装置１１０からの要求に応じて、記憶部１３１に記憶されている画面レイアウトデータを、通信部１３２を介して、情報表示装置１１０に送信する。
コンテンツ素材配信部１４２は、情報表示装置１１０からの要求に応じて、記憶部１３１に記憶されているコンテンツ素材データ及びサムネイル画像データを、通信部１３２を介して、情報表示装置１１０に送信する。
【００５１】
図１０は、サーバ１３０のハードウェア構成例を概略的に示すブロック図である。
サーバ１３０は、プロセッサ１７０と、フラッシュメモリ１７１と、ＤＲＡＭ１７２と、記憶媒体１７３と、通信Ｉ／Ｆ１７４とを備えるコンピュータにより実現することができる。
【００５２】
プロセッサ１７０は、ＯＳ、各種アプリケーション及びファームウェア等のプログラムを実行する装置であり、必要に応じてＤＲＡＭ１７２等にアクセスし、サーバ１３０の各ブロックの制御を行う。例えば、制御部１４０は、プロセッサ１７０が予め定められたプログラムを実行することにより実現される。このようなプログラムは、ネットワークを通じて提供されてもよく、また、記録媒体に記録されて提供されてもよい。即ち、このようなプログラムは、例えば、プログラムプロダクトとして提供されてもよい。
【００５３】
フラッシュメモリ１７１は、プロセッサ１７０で実行されるＯＳ、アプリケーション及びファームウェア等のプログラムを記録する不揮発性メモリである。
ＤＲＡＭ１７２は、プロセッサ１７０がプログラム等を実行する際に、ＯＳ、アプリケーション及びデータ等を一時的に記憶する揮発性メモリである。
記憶媒体１７３は、例えば、ＨＤＤで構成され、画面レイアウトデータ及びコンテンツ素材データ等を記録する不揮発性メモリである。
例えば、記憶部１３１は、フラッシュメモリ１７１、ＤＲＡＭ１７２及び記憶媒体１７３により実現される。
【００５４】
通信Ｉ／Ｆ１７４は、例えば、ネットワークインタフェースカード等で構成され、ネットワーク１０１を経由して、情報表示装置１１０との間の通信処理を実行する。
例えば、通信部１３２は、通信Ｉ／Ｆ１７４により実現される。
【００５５】
次に、実施の形態１における情報表示装置１１０の動作について説明する。
図１１は、情報表示装置１１０がサーバ１３０に接続し、サーバ１３０から画面レイアウトデータ、コンテンツ素材データ及びサムネイル画像データを取得し、コンテンツ画面画像データを作成し、コンテンツ画面画像を表示する際の動作を示すフローチャートである。
【００５６】
情報表示装置１１０の通信部１１４がネットワーク１０１を経由してサーバ１３０に接続すると、まず、画面レイアウト取得部１２１が画面レイアウトデータを取得する（Ｓ１０）。
そして、ユーザ選択処理部１２３は、取得された画面レイアウトデータに基づいて、表示部１１２に画面レイアウトの一覧を表示する（Ｓ１１）。例えば、ユーザ選択処理部１２３は、取得された画面レイアウトデータで示されている各々の画面レイアウトを予め定められた割合で縮小することにより、画面レイアウトのサムネイル画像（画面レイアウト画像）の画像データである画面レイアウト画像データを生成し、その画面レイアウト画像データに基づいて、表示部１１２に画面レイアウトの一覧を表示させる。言い換えると、ユーザ選択処理部１２３は、複数の画面レイアウト画像を、画面レイアウトの一覧として、表示部１１２に表示させる。
【００５７】
次に、ユーザが、操作部１１１を用いて、画面レイアウトの一覧から１つの画面レイアウトのサムネイル画像を選択すると（Ｓ１２）、ユーザ選択処理部１２３は、選択されたサムネイル画像に対応する画面レイアウトの画面レイアウトＩＤを記憶部１１３に記憶させることで、保存する（Ｓ１３）。
【００５８】
さらに、コンテンツ素材取得部１２２は、コンテンツ素材データ及びコンテンツ素材のサムネイル画像データを取得する（Ｓ１４）。
そして、ユーザが、情報表示装置１１０の操作部１１１に、コンテンツ素材を表示したい商品の識別情報である商品ＩＤを入力すると（Ｓ１５）、ユーザ選択処理部１２３は、取得されたコンテンツ素材データ及びサムネイル画像データに基づいて、入力された商品ＩＤに対応するサムネイル画像の一覧を表示部１１２に表示させる（Ｓ１６）。ここで、ユーザ選択処理部１２３は、サムネイル画像データで示されるサムネイル画像を縮小して、その一覧を表示部１１２に表示させてもよい。
【００５９】
次に、ユーザが、操作部１１１を用いて、サムネイル画像の一覧から１つのサムネイル画像を選択すると（Ｓ１７）、ユーザ選択処理部１２３は、選択されたサムネイル画像に対応するコンテンツ素材のコンテンツ素材ＩＤを記憶部１１３に記憶することで、保存する（Ｓ１８）。
【００６０】
さらに、ユーザが、操作部１１１を用いて、ステップＳ１２で選択された画面レイアウトにおける、ステップＳ１７で選択されたコンテンツ素材の配置位置である要素を選択すると（Ｓ１９）、ユーザ選択処理部１２３は、選択されたコンテンツ素材の配置位置を示す要素ＩＤを記憶部１１３に記憶することで、保存する（Ｓ２０）。例えば、ユーザ選択処理部１２３は、ステップＳ１２で選択された画面レイアウトのサムネイル画像（例えば、図４又は図５）を表示部１１２に表示して、ユーザから操作部１１１を介して、ステップＳ１７で選択されたコンテンツ素材の配置位置（図４又は図５に示されている「Ｅｌｅｍｅｎｔ」）の選択を受け付ければよい。
【００６１】
そして、ユーザがコンテンツ作成を継続する場合（Ｓ２１でＹｅｓ）には、処理はステップＳ１５に戻る。
一方、ユーザがコンテンツ作成を終了する場合（Ｓ２１でＮｏ）、ユーザはコンテンツ作成の終了を操作部１１１に入力する（Ｓ２２）。図１２は、コンテンツ素材データと、選択されたコンテンツ素材及び位置との対応関係をテーブル形成で表した表である。
これにより、コンテンツ作成部１２４は、ステップＳ１２で選択された画面レイアウトにおいて、ステップＳ１７で選択されたコンテンツ素材のサムネイル画像を、ステップＳ１９で選択された配置位置に配置することで、コンテンツ画面画像データを作成する。そして、コンテンツ作成部１２４は、作成されたコンテンツ画面画像データを表示部１１２に送ることで、表示部１１２にコンテンツ画面画像を表示させる（Ｓ２３）。
【００６２】
以上のように、実施の形態１によれば、情報表示装置１１０がコンテンツ画面画像を作成する際に、コンテンツ素材の表示属性に基づき、コンテンツ素材を選択し、画面レイアウトに配置するように構成したので、全ての情報表示装置１１０で共通に表示したい商品のコンテンツ素材の表示属性を必須に設定し、各情報表示装置１１０で独自に表示する商品のコンテンツ素材の表示属性を任意に設定することにより、コンテンツ画面画像を適切にカスタマイズすることができる。
【００６３】
実施の形態２．
図１３は、実施の形態２に係る情報表示システムであるデジタルサイネージシステム２００の構成を概略的に示すブロック図である。
デジタルサイネージシステム２００は、情報表示装置２１０Ａ、２１０Ｂ、２１０Ｃと、サーバ２３０と、ＰＯＳ端末２８０Ａ、２８０Ｂ、２８０Ｃと、ＰＯＳサーバ２９０とを備える。
情報表示装置２１０Ａ、２１０Ｂ、２１０Ｃの各々を特に区別する必要がない場合には、情報表示装置２１０という。
ＰＯＳ端末２８０Ａ、２８０Ｂ、２８０Ｃの各々を特に区別する必要がない場合には、ＰＯＳ端末２８０という。
情報表示装置と、サーバ１３０と、ＰＯＳ端末２８０と、ＰＯＳサーバ２９０とは、ネットワーク１０１に接続されている。
【００６４】
ＰＯＳ端末２８０は、それぞれの店舗に設置されており、それぞれの店舗で販売された商品の販売データをＰＯＳサーバ２９０に送信する。販売データは、商品毎に、商品の識別情報である商品ＩＤと、ＰＯＳ端末２８０が設置されている店舗の識別情報である店舗ＩＤと、ＰＯＳ端末２８０が設置されている店舗で表示されているコンテンツ画面画像で使用されている、商品に対応するコンテンツ素材（表示コンテンツ素材）の識別情報であるコンテンツ素材ＩＤ（表示コンテンツ素材ＩＤ）と、商品の売り上げを示す情報である売上額とを含む。
【００６５】
ＰＯＳサーバ２９０は、ＰＯＳ端末２８０から送られてきた販売データを商品毎に集計することで、商品毎に商品データを生成する。
【００６６】
図１４は、商品データの一例を示す概略図である。
商品データ２９１は、対応する商品の販売データを、店舗毎に集計したテーブル形式のデータである。
商品データ２９１は、商品ＩＤ列２９１ａと、店舗ＩＤ列２９１ｂと、コンテンツ素材ＩＤ列２９１ｃと、店舗立地列２９１ｄと、商品売上額列２９１ｅとを有する。
【００６７】
商品ＩＤ列２９１ａは、商品データ２９１の対象となっている商品の商品ＩＤを格納する。
店舗ＩＤ列２９１ｂは、ＰＯＳ端末２８０が設置されている店舗の店舗ＩＤを格納する。
コンテンツ素材ＩＤ列２９１ｃは、商品データ２９１の対象となっている商品において、ＰＯＳ端末２８０が設置されている店舗で表示されているコンテンツ画面画像で使用されているコンテンツ素材（表示コンテンツ素材）のコンテンツ素材ＩＤ（表示コンテンツ素材ＩＤ）を格納する。
店舗立地列２９１ｄは、ＰＯＳ端末２８０が設置されている店舗の立地を示す情報を格納する。なお、店舗の立地を示す情報は、店舗毎に予めＰＯＳサーバ２９０に記憶されているものとする。
商品売上額列２９１ｅは、店舗毎の、商品データ２９１の対象となっている商品の売上額を格納する。
【００６８】
以上のような商品データは、ＰＯＳサーバ２９０で生成され、サーバ２３０に送信される。
【００６９】
図１５は、実施の形態２における情報表示装置２１０の構成を概略的に示すブロック図である。
情報表示装置２１０は、操作部１１１と、表示部１１２と、記憶部２１３と、通信部１１４と、制御部２２０とを備える。
実施の形態２における情報表示装置２１０の操作部１１１、表示部１１２及び通信部１１４は、実施の形態１と同様である。
【００７０】
記憶部２１３は、情報表示装置２１０での処理に必要なデータを記憶する。実施の形態２では、サーバ２３０から取得された商品データも記憶される。
【００７１】
制御部２２０は、情報表示装置２１０での処理を制御する。
制御部２２０は、画面レイアウト取得部１２１と、コンテンツ素材取得部１２２と、コンテンツ作成部１２４と、ユーザ選択処理部２２３と、商品データ取得部２２５とを備える。
実施の形態２における制御部２２０の画面レイアウト取得部１２１、コンテンツ素材取得部１２２及びコンテンツ作成部１２４は、実施の形態１と同様である。
【００７２】
商品データ取得部２２５は、通信部１１４を介して、サーバ２３０から商品データを取得する。取得された商品データは、記憶部２１３に記憶される。
【００７３】
ユーザ選択処理部２２３は、操作部１１１及び表示部１１２を介して、表示するコンテンツ素材及びコンテンツ素材を配置する画面レイアウトの選択を受け付ける処理を制御する。実施の形態２においては、ユーザ選択処理部２２３は、サーバ２３０から取得された商品データから、表示するコンテンツ素材の選択を受ける。
【００７４】
図１６は、実施の形態２におけるサーバ２３０の構成を概略的に示すブロック図である。
サーバ２３０は、記憶部２３１と、通信部１３２と、制御部２４０とを備える。
実施の形態２におけるサーバ２３０の通信部１３２は、実施の形態１と同様である。
【００７５】
記憶部２３１は、サーバ２３０での処理に必要なデータを記憶する。実施の形態２では、記憶部２３１は、ＰＯＳサーバ２９０から取得された商品データも記憶する。
【００７６】
制御部２４０は、サーバ２３０での処理を制御する。
制御部２４０は、画面レイアウト配信部１４１と、コンテンツ素材配信部１４２と、商品データ配信部２４３とを備える。
実施の形態２における制御部２４０の画面レイアウト配信部１４１及びコンテンツ素材配信部１４２は、実施の形態１と同様である。
【００７７】
商品データ配信部２４３は、通信部１３２を介して、ＰＯＳサーバ２９０から商品データを取得して、取得された商品データを記憶部２３１に記憶する。
また、商品データ配信部２４３は、情報表示装置２１０からの要求に応じて、記憶部２３１に記憶されている商品データを、通信部１３２を介して、情報表示装置２１０に送信する。
【００７８】
次に、実施の形態２における情報表示装置２１０の動作について説明する。
図１７は、情報表示装置２１０がサーバ２３０に接続し、サーバ２３０から画面レイアウトデータ、コンテンツ素材データ、サムネイル画像データ及び商品データを取得し、コンテンツ画面画像データを作成し、コンテンツ画面画像を表示する際の動作を示すフローチャートである。
なお、図１７に示されているフローチャートのステップの内、図１１に示されているフローチャートのステップと同様のステップについては、図１１と同じ符号が付されている。
【００７９】
図１７のステップＳ１０〜ステップＳ１４は、図１１のステップＳ１０〜ステップＳ１４と同様である。但し、図１７において、ステップＳ１４の後は、処理はステップＳ３０に進む。
【００８０】
ステップＳ３０では、商品データ取得部２２５は、商品データを取得する。
そして、ユーザが、情報表示装置２１０の操作部１１１に、コンテンツ素材を表示したい商品の識別情報である商品ＩＤを入力すると（Ｓ１５）、ユーザ選択処理部２２３は、入力された商品ＩＤに対応する商品データを表示部１１２に表示する（Ｓ３１）。なお、ユーザ選択処理部２２３は、取得されたコンテンツ素材データ及びサムネイル画像データに基づいて、入力された商品ＩＤに対応するサムネイル画像の一覧も商品データとともに表示部１１２に表示してもよい。
【００８１】
次に、ユーザが、操作部１１１を用いて、商品データから１つのコンテンツ素材ＩＤを選択すると、ユーザ選択処理部２２３は、選択されたコンテンツ素材ＩＤを記憶部２１３に記憶することで、保存する（Ｓ３３）。
例えば、図１４に示されている商品データ２９１に基づいて、立地が住宅地である店舗の責任者が、商品ＩＤ「００２」の販売促進用のコンテンツ画面画像を作成する場合、店舗の立地条件が自らの店舗と同じ住宅地である店舗ＩＤ「００３」〜「００５」の３店舗の内、商品ＩＤ「００２」の商品の売上額が最も大きい店舗ＩＤ「００５」で使用されているコンテンツ素材ＩＤ「００２００５」を選択することにより、最も売上が大きい店舗と同等の広告効果を期待することができる。
【００８２】
そして、処理は、ステップＳ１９に進み、以降のステップＳ１９〜Ｓ２３は、図１１のステップＳ１９〜Ｓ２３と同様である。
【００８３】
以上のように、実施の形態２によれば、情報表示装置２１０のユーザは、コンテンツ画面画像を作成する際に、店舗の立地条件及び商品の売上額を含む商品データに基づき、コンテンツ素材を選択し、画面レイアウトに配置することで、情報表示装置２１０のユーザ、すなわち、店舗の責任者が、他の店舗で使用されているコンテンツ画面画像を参照して、より広告効果の高いコンテンツ画面画像を作成することができる。
【００８４】
なお、情報表示装置１１０、２１０が、自装置で作成されたコンテンツ画面画像データをサーバ１３０、２３０に送信し、サーバ１３０、２３０でそのコンテンツ画面画像データを記憶（保存）しておくことで、他の情報表示装置１１０、２１０がサーバ１３０、２３０に記憶されているコンテンツ画面画像データをそのまま利用することもできる。この場合、コンテンツ画面画像データに、コンテンツ画面画像データに含まれている商品の売上額を紐付けておくことで、他の情報表示装置１１０、２１０のユーザは、より広告効果の高いコンテンツ画面画像データを利用することができる。
【符号の説明】
【００８５】
１００，２００  デジタルサイネージシステム、  １１０，２１０  情報表示装置、  １１１  操作部、  １１２  表示部、  １１３  記憶部、  １１４  通信部、  １２０，２２０  制御部、  １２１  画面レイアウト取得部、  １２２  コンテンツ素材取得部、  １２３，２２３  ユーザ選択処理部、  １２４  コンテンツ作成部、  ２２５  商品データ取得部、  １３０，２３０  サーバ、  ２８０  ＰＯＳ端末、  ２９０  ＰＯＳサーバ。
【図１】
2018211693.tif 000003
【図２】
2018211693.tif 000004
【図３】
2018211693.tif 000005
【図４】
2018211693.tif 000006
【図５】
2018211693.tif 000007
【図６】
2018211693.tif 000008
【図７】
2018211693.tif 000009
【図８】
2018211693.tif 000010
【図９】
2018211693.tif 000011
【図１０】
2018211693.tif 000012
【図１１】
2018211693.tif 000013
【図１２】
2018211693.tif 000014
【図１３】
2018211693.tif 000015
【図１４】
2018211693.tif 000016
【図１５】
2018211693.tif 000017
【図１６】
2018211693.tif 000018
【図１７】
2018211693.tif 000019
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
複数の表示領域を各々が有する複数の画面レイアウトを示す画面レイアウトデータ、複数のコンテンツ素材を示すコンテンツ素材データ、前記複数のコンテンツ素材の各々の画像に各々が対応する複数のコンテンツ素材画像の画像データであるコンテンツ素材画像データ、及び、前記複数のコンテンツ素材から選択されたコンテンツ素材である表示コンテンツ素材のコンテンツ素材画像を配置したコンテンツ画面画像を表示した店舗における、前記表示コンテンツ素材に対応する商品の売り上げを示す情報を含む商品データを記憶する記憶部と、
前記複数の画面レイアウトから１つの画面レイアウトを選択する入力、前記複数のコンテンツ素材から前記１つの画面レイアウトに配置する少なくとも１つのコンテンツ素材を選択する入力、及び、前記１つの画面レイアウトが有する前記複数の表示領域から、前記少なくとも１つのコンテンツ素材を配置する表示領域を選択する入力を受け付ける操作部と、
前記複数のコンテンツ素材画像の中から、前記少なくとも１つのコンテンツ素材のコンテンツ素材画像を特定し、前記１つの画面レイアウトにおいて、前記特定されたコンテンツ素材画像を前記選択された表示領域に配置したコンテンツ画面画像の画像データであるコンテンツ画面画像データを生成するコンテンツ作成部と、
前記コンテンツ画面画像データに基づいて、前記コンテンツ画面画像を表示する表示部と、
前記画面レイアウトデータに基づいて、前記複数の画面レイアウトの各々を各々が示す複数の画面レイアウト画像を前記表示部に表示させるとともに、前記商品データに基づいて、前記表示コンテンツ素材に対応する商品の売り上げを示す情報を前記表示部に表示させる処理部と、を備え、
前記操作部は、前記１つの画面レイアウトを選択する入力として、前記複数の画面レイアウト画像から１つの画面レイアウト画像を選択する入力を受け付けるとともに、前記少なくとも１つのコンテンツ素材を選択する入力として、前記表示コンテンツ素材を選択する入力を受け付けること
を特徴とする情報表示装置。
【請求項２】
前記画面レイアウトデータは、前記複数の画面レイアウトの各々が有する前記複数の表示領域の内の特定の表示領域に、予め定められたコンテンツ素材が配置されることをさらに示しており、
前記コンテンツ素材データは、前記複数のコンテンツ素材の内の特定のコンテンツ素材が前記特定の表示領域に配置することをさらに示しており、
前記操作部は、前記特定のコンテンツ素材を除いた前記複数のコンテンツ素材から、前記１つの画面レイアウトに表示する前記少なくとも１つのコンテンツ素材を選択する入力、及び、前記特定の表示領域を除く前記複数の表示領域から、前記少なくとも１つのコンテンツ素材を配置する前記表示領域を選択する入力を受け付け、
前記コンテンツ作成部は、前記複数のコンテンツ素材画像の中から、前記特定のコンテンツ素材のコンテンツ素材画像を第１のコンテンツ素材画像として特定するとともに、前記複数のコンテンツ素材画像の中から、前記少なくとも１つのコンテンツ素材のコンテンツ素材画像を第２のコンテンツ素材画像として特定し、前記１つの画面レイアウトにおいて、前記第１のコンテンツ素材画像を前記特定の表示領域に配置し、前記第２のコンテンツ素材画像を前記選択された表示領域に配置すること
を特徴とする請求項１に記載の情報表示装置。
【請求項３】
前記処理部は、前記コンテンツ素材画像データに基づいて、複数のコンテンツ素材画像を前記表示部に表示させ、
前記操作部は、前記少なくとも１つのコンテンツ素材を選択する入力として、前記複数のコンテンツ素材画像から、前記１つの画面レイアウトに配置するコンテンツ素材のコンテンツ素材画像を選択する入力を受け付けること
を特徴とする請求項１又は２に記載の情報表示装置。
【請求項４】
サーバと通信する通信部と、
前記通信部を介して、前記サーバから前記画面レイアウトデータを取得して、前記画面レイアウトデータを前記記憶部に記憶させる画面レイアウト取得部と、
前記通信部を介して、前記サーバから前記コンテンツ素材データ及び前記コンテンツ素材画像データを取得して、前記コンテンツ素材データ及び前記コンテンツ素材画像データを前記記憶部に記憶させるコンテンツ素材取得部と、をさらに備えること
を特徴とする請求項１から３の何れか一項に記載の情報表示装置。
【請求項５】
前記商品データは、前記店舗の立地を示す情報をさらに示し、
前記処理部は、前記商品データに基づいて、前記表示コンテンツ素材に対応する商品の売り上げを示す情報とともに、前記店舗の立地を示す情報を前記表示部に表示させること
を特徴とする請求項１から４の何れか一項に記載の情報表示装置。
【請求項６】
サーバと通信する通信部と、
前記通信部を介して、前記サーバから前記画面レイアウトデータを取得して、前記画面レイアウトデータを前記記憶部に記憶させる画面レイアウト取得部と、
前記通信部を介して、前記サーバから前記コンテンツ素材データ及び前記コンテンツ素材画像データを取得して、前記コンテンツ素材データ及び前記コンテンツ素材画像データを前記記憶部に記憶させるコンテンツ素材取得部と、
前記通信部を介して、前記サーバから前記商品データを取得して、前記商品データを前記記憶部に記憶させる商品データ取得部と、をさらに備えること
を特徴とする請求項１から５の何れか一項に記載の情報表示装置。
【請求項７】
コンピュータを、
複数の表示領域を各々が有する複数の画面レイアウトを示す画面レイアウトデータ、複数のコンテンツ素材を示すコンテンツ素材データ、前記複数のコンテンツ素材の各々の画像に各々が対応する複数のコンテンツ素材画像の画像データであるコンテンツ素材画像データ、及び、前記複数のコンテンツ素材から選択されたコンテンツ素材である表示コンテンツ素材のコンテンツ素材画像を配置したコンテンツ画面画像を表示した店舗における、前記表示コンテンツ素材に対応する商品の売り上げを示す情報を含む商品データを記憶する記憶部、
前記複数の画面レイアウトから１つの画面レイアウトを選択する入力、前記複数のコンテンツ素材から前記１つの画面レイアウトに配置する少なくとも１つのコンテンツ素材を選択する入力、及び、前記１つの画面レイアウトが有する前記複数の表示領域から、前記少なくとも１つのコンテンツ素材を配置する表示領域を選択する入力を受け付ける操作部、
前記複数のコンテンツ素材画像の中から、前記少なくとも１つのコンテンツ素材のコンテンツ素材画像を特定し、前記１つの画面レイアウトにおいて、前記特定されたコンテンツ素材画像を前記選択された表示領域に配置したコンテンツ画面画像の画像データであるコンテンツ画面画像データを生成する制御部、及び、
前記コンテンツ画面画像データに基づいて、前記コンテンツ画面画像を表示する表示部、として機能させるプログラムであって、
前記制御部は、前記画面レイアウトデータに基づいて、前記複数の画面レイアウトの各々を各々が示す複数の画面レイアウト画像を前記表示部に表示させるとともに、前記商品データに基づいて、前記表示コンテンツ素材に対応する商品の売り上げを示す情報を前記表示部に表示させ、
前記操作部は、前記１つの画面レイアウトを選択する入力として、前記複数の画面レイアウト画像から１つの画面レイアウト画像を選択する入力を受け付けるとともに、前記少なくとも１つのコンテンツ素材を選択する入力として、前記表示コンテンツ素材を選択する入力を受け付けること
を特徴とするプログラム。
【請求項８】
複数の表示領域を各々が有する複数の画面レイアウトを示す画面レイアウトデータ、複数のコンテンツ素材を示すコンテンツ素材データ、前記複数のコンテンツ素材の各々の画像に各々が対応する複数のコンテンツ素材画像の画像データであるコンテンツ素材画像データ、及び、前記複数のコンテンツ素材から選択されたコンテンツ素材である表示コンテンツ素材のコンテンツ素材画像を配置したコンテンツ画面画像を表示した店舗における、前記表示コンテンツ素材に対応する商品の売り上げを示す情報を含む商品データを記憶する記憶部、
前記複数の画面レイアウトから１つの画面レイアウトを選択する入力、前記複数のコンテンツ素材から前記１つの画面レイアウトに配置する少なくとも１つのコンテンツ素材を選択する入力、及び、前記１つの画面レイアウトが有する前記複数の表示領域から、前記少なくとも１つのコンテンツ素材を配置する表示領域を選択する入力を受け付ける操作部、
前記複数のコンテンツ素材画像の中から、前記少なくとも１つのコンテンツ素材のコンテンツ素材画像を特定し、前記１つの画面レイアウトにおいて、前記特定されたコンテンツ素材画像を前記選択された表示領域に配置したコンテンツ画面画像の画像データであるコンテンツ画面画像データを生成する制御部、
前記コンテンツ画面画像データに基づいて、前記コンテンツ画面画像を表示する表示部、を備えるコンピュータが実行する情報表示方法であって、
前記制御部は、前記画面レイアウトデータに基づいて、前記複数の画面レイアウトの各々を各々が示す複数の画面レイアウト画像を前記表示部に表示させるとともに、前記商品データに基づいて、前記表示コンテンツ素材に対応する商品の売り上げを示す情報を前記表示部に表示させ、
前記操作部は、前記１つの画面レイアウトを選択する入力として、前記複数の画面レイアウト画像から１つの画面レイアウト画像を選択する入力を受け付けるとともに、前記少なくとも１つのコンテンツ素材を選択する入力として、前記表示コンテンツ素材を選択する入力を受け付けること
を特徴とする情報表示方法。
【手続補正２】
【補正対象書類名】明細書
【補正対象項目名】００１２
【補正方法】変更
【補正の内容】
【００１２】
本発明の一態様に係る情報表示装置は、複数の表示領域を各々が有する複数の画面レイアウトを示す画面レイアウトデータ、複数のコンテンツ素材を示すコンテンツ素材データ、前記複数のコンテンツ素材の各々の画像に各々が対応する複数のコンテンツ素材画像の画像データであるコンテンツ素材画像データ、及び、前記複数のコンテンツ素材から選択されたコンテンツ素材である表示コンテンツ素材のコンテンツ素材画像を配置したコンテンツ画面画像を表示した店舗における、前記表示コンテンツ素材に対応する商品の売り上げを示す情報を含む商品データを記憶する記憶部と、前記複数の画面レイアウトから１つの画面レイアウトを選択する入力、前記複数のコンテンツ素材から前記１つの画面レイアウトに配置する少なくとも１つのコンテンツ素材を選択する入力、及び、前記１つの画面レイアウトが有する前記複数の表示領域から、前記少なくとも１つのコンテンツ素材を配置する表示領域を選択する入力を受け付ける操作部と、前記複数のコンテンツ素材画像の中から、前記少なくとも１つのコンテンツ素材のコンテンツ素材画像を特定し、前記１つの画面レイアウトにおいて、前記特定されたコンテンツ素材画像を前記選択された表示領域に配置したコンテンツ画面画像の画像データであるコンテンツ画面画像データを生成するコンテンツ作成部と、前記コンテンツ画面画像データに基づいて、前記コンテンツ画面画像を表示する表示部と、前記画面レイアウトデータに基づいて、前記複数の画面レイアウトの各々を各々が示す複数の画面レイアウト画像を前記表示部に表示させるとともに、前記商品データに基づいて、前記表示コンテンツ素材に対応する商品の売り上げを示す情報を前記表示部に表示させる処理部と、を備え、前記操作部は、前記１つの画面レイアウトを選択する入力として、前記複数の画面レイアウト画像から１つの画面レイアウト画像を選択する入力を受け付けるとともに、前記少なくとも１つのコンテンツ素材を選択する入力として、前記表示コンテンツ素材を選択する入力を受け付けることを特徴とする。
【手続補正３】
【補正対象書類名】明細書
【補正対象項目名】００１３
【補正方法】変更
【補正の内容】
【００１３】
本発明の一態様に係るプログラムは、コンピュータを、複数の表示領域を各々が有する複数の画面レイアウトを示す画面レイアウトデータ、複数のコンテンツ素材を示すコンテンツ素材データ、前記複数のコンテンツ素材の各々の画像に各々が対応する複数のコンテンツ素材画像の画像データであるコンテンツ素材画像データ、及び、前記複数のコンテンツ素材から選択されたコンテンツ素材である表示コンテンツ素材のコンテンツ素材画像を配置したコンテンツ画面画像を表示した店舗における、前記表示コンテンツ素材に対応する商品の売り上げを示す情報を含む商品データを記憶する記憶部、前記複数の画面レイアウトから１つの画面レイアウトを選択する入力、前記複数のコンテンツ素材から前記１つの画面レイアウトに配置する少なくとも１つのコンテンツ素材を選択する入力、及び、前記１つの画面レイアウトが有する前記複数の表示領域から、前記少なくとも１つのコンテンツ素材を配置する表示領域を選択する入力を受け付ける操作部、前記複数のコンテンツ素材画像の中から、前記少なくとも１つのコンテンツ素材のコンテンツ素材画像を特定し、前記１つの画面レイアウトにおいて、前記特定されたコンテンツ素材画像を前記選択された表示領域に配置したコンテンツ画面画像の画像データであるコンテンツ画面画像データを生成する制御部、及び、前記コンテンツ画面画像データに基づいて、前記コンテンツ画面画像を表示する表示部、として機能させるプログラムであって、前記制御部は、前記画面レイアウトデータに基づいて、前記複数の画面レイアウトの各々を各々が示す複数の画面レイアウト画像を前記表示部に表示させるとともに、前記商品データに基づいて、前記表示コンテンツ素材に対応する商品の売り上げを示す情報を前記表示部に表示させ、前記操作部は、前記１つの画面レイアウトを選択する入力として、前記複数の画面レイアウト画像から１つの画面レイアウト画像を選択する入力を受け付けるとともに、前記少なくとも１つのコンテンツ素材を選択する入力として、前記表示コンテンツ素材を選択する入力を受け付けることを特徴とする。
【手続補正４】
【補正対象書類名】明細書
【補正対象項目名】００１４
【補正方法】変更
【補正の内容】
【００１４】
本発明の一態様に係る情報表示方法は、複数の表示領域を各々が有する複数の画面レイアウトを示す画面レイアウトデータ、複数のコンテンツ素材を示すコンテンツ素材データ、前記複数のコンテンツ素材の各々の画像に各々が対応する複数のコンテンツ素材画像の画像データであるコンテンツ素材画像データ、及び、前記複数のコンテンツ素材から選択されたコンテンツ素材である表示コンテンツ素材のコンテンツ素材画像を配置したコンテンツ画面画像を表示した店舗における、前記表示コンテンツ素材に対応する商品の売り上げを示す情報を含む商品データを記憶する記憶部、前記複数の画面レイアウトから１つの画面レイアウトを選択する入力、前記複数のコンテンツ素材から前記１つの画面レイアウトに配置する少なくとも１つのコンテンツ素材を選択する入力、及び、前記１つの画面レイアウトが有する前記複数の表示領域から、前記少なくとも１つのコンテンツ素材を配置する表示領域を選択する入力を受け付ける操作部、前記複数のコンテンツ素材画像の中から、前記少なくとも１つのコンテンツ素材のコンテンツ素材画像を特定し、前記１つの画面レイアウトにおいて、前記特定されたコンテンツ素材画像を前記選択された表示領域に配置したコンテンツ画面画像の画像データであるコンテンツ画面画像データを生成する制御部、前記コンテンツ画面画像データに基づいて、前記コンテンツ画面画像を表示する表示部、を備えるコンピュータが実行する情報表示方法であって、前記制御部は、前記画面レイアウトデータに基づいて、前記複数の画面レイアウトの各々を各々が示す複数の画面レイアウト画像を前記表示部に表示させるとともに、前記商品データに基づいて、前記表示コンテンツ素材に対応する商品の売り上げを示す情報を前記表示部に表示させ、前記操作部は、前記１つの画面レイアウトを選択する入力として、前記複数の画面レイアウト画像から１つの画面レイアウト画像を選択する入力を受け付けるとともに、前記少なくとも１つのコンテンツ素材を選択する入力として、前記表示コンテンツ素材を選択する入力を受け付けることを特徴とする。
【国際調査報告】
2018211693.tif 000020
2018211693.tif 000021
2018211693.tif 000022
2018211693.tif 000023